Podtech/llm-jp-corpus-v4-ja_patent huggingface dataset:
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
識別情報の変動表示を行い、該変動表示の表示結果として予め定められた特定表示結果が導出表示されたときに、遊技者にとって有利な有利状態に制御する遊技機であって、
変動表示中に仮停止させた後、再び変動表示させる仮停止演出と、前記仮停止演出とは異なる演出であって変動表示中に段階的な演出行う段階演出と、を実行可能であり、
前記特定表示結果となる場合には、前記特定表示結果とはならない場合よりも高い割合で前記仮停止演出を実行し、
前記特定表示結果となる場合には、前記特定表示結果とはならない場合よりも高い割合で前記段階演出を実行し、
前記仮停止演出を実行するときと前記段階演出を実行するときとで、共通の指標情報を表示可能とすることを特徴とする遊技機。
【手続補正２】
【補正対象書類名】明細書
【補正対象項目名】０００８
【補正方法】変更
【補正の内容】
【０００８】
手段Ａに係る発明は、識別情報の変動表示を行い、該変動表示の表示結果として予め定められた特定表示結果が導出表示されたときに、遊技者にとって有利な有利状態に制御する遊技機であって、
変動表示中に仮停止させた後、再び変動表示させる仮停止演出と、前記仮停止演出とは異なる演出であって変動表示中に段階的な演出行う段階演出と、を実行可能であり、
前記特定表示結果となる場合には、前記特定表示結果とはならない場合よりも高い割合で前記仮停止演出を実行し、
前記特定表示結果となる場合には、前記特定表示結果とはならない場合よりも高い割合で前記段階演出を実行し、
前記仮停止演出を実行するときと前記段階演出を実行するときとで、共通の指標情報を表示可能とすることを特徴とする遊技機である。
まず、手段１に係る発明は、
各々を識別可能な複数種類の識別情報（特別図柄）の変動表示を行い、該変動表示の表示結果として予め定められた特定表示結果（大当り）が導出表示されたときに、遊技者にとって有利な特定遊技状態（大当り遊技状態）に制御する遊技機（パチンコ遊技機１）であって、
前記識別情報の変動表示中に変動表示を仮停止（擬似連チャンス目を仮停止）させた後、再び変動表示させる（擬似連１回〜３回）仮停止演出（再変動予告演出）と、前記識別情報の変動表示中に段階的に各段階（段階予告１段〜３段、中抜き３段）の演出を実行する演出であって前記仮停止演出とは異なる段階演出（段階予告演出）と、を実行可能であり、
前記特定表示結果となる場合には、前記特定表示結果とはならない場合よりも高い割合で前記仮停止演出を実行し（再変動予告演出が行われる場合は行われない場合よりも大当り期待度が高い）、
前記特定表示結果となる場合には、前記特定表示結果とはならない場合よりも高い割合で前記段階演出を実行し（段階予告演出が行われる場合は行われない場合よりも大当り期待度が高い）、
前記仮停止演出を実行するときと前記段階演出を実行するときとで、共通の指標情報（再変動予告演出における再変動回数、段階予告演出の段階数）を表示することを特徴とする遊技機である。
これによれば、仮停止演出が実行された場合と段階演出が実行された場合とで共通の指標情報が表示されるため、期待度を容易に認識することができ、遊技興趣を向上させることができる。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
被検体に照射された測定光と参照光によるＯＣＴ信号を検出し、前記ＯＣＴ信号を処理することで被検体の断層画像を取得する光コヒーレンストモグラフィ装置であって、
被検体の正面画像を得る正面観察光学系と、
被検体上における同一の走査領域に関して時間的に異なる複数のＯＣＴ信号を取得するＯＣＴ光学系と、
被検体上の第１走査領域において、前記ＯＣＴ光学系による複数のＯＣＴ信号の取得時に、前記正面観察光学系によって第１正面画像を取得し、前記第１走査領域における前記複数のＯＣＴ信号を取得以後であって、前記第１正面画像の取得の後に前記正面観察光学系によって第２正面画像を取得する制御手段と、
前記第１正面画像と、前記第２正面画像と、の位置ずれを画像処理により検出し、前記位置ずれの検出結果に基づいて、前記第１走査領域において取得された前記複数のＯＣＴ信号の良否を判定する判定手段と、
前記判定手段によって良好であると判定された前記複数のＯＣＴ信号を処理して前記被検体におけるモーションコントラストデータを取得する演算処理手段と、
を備えることを特徴とする光コヒーレンストモグラフィ装置。
【請求項２】
請求項１の光コヒーレンストモグラフィ装置において、
前記制御手段は、前記判定手段によって前記複数のＯＣＴ信号が良好であると判定された場合に、複数のＯＣＴ信号を取得する領域を前記第１走査領域とは異なる第２走査領域に変更することを特徴とする光コヒーレンストモグラフィ装置。
【請求項３】
請求項１又は２の光コヒーレンストモグラフィ装置において、
前記制御手段は、前記判定手段によって前記複数のＯＣＴ信号が良好でないと判定された場合に、前記第１走査領域において複数のＯＣＴ信号を再取得することを特徴とする光コヒーレンストモグラフィ装置。
【請求項４】
被検体に照射された測定光と参照光によるＯＣＴ信号を検出し、前記ＯＣＴ信号を処理することで被検体の断層画像を取得する光コヒーレンストモグラフィ装置の動作を制御する制御装置において実行される光コヒーレンストモグラフィ制御プログラムであって、
前記制御装置のプロセッサによって実行されることで、
被検体の正面画像を得る正面画像取得ステップと、
被検体上における同一の走査領域に関して時間的に異なる複数のＯＣＴ信号を取得する取得ステップと、
被検体上の第１走査領域において、前記取得ステップによる複数のＯＣＴ信号の取得時に、前記正面画像取得ステップによって第１正面画像を取得し、前記第１走査領域における前記複数のＯＣＴ信号の取得以後であって、前記第１正面画像の取得の後に前記正面画像取得ステップによって第２正面画像を取得する制御ステップと、
前記第１正面画像と、前記第２正面画像と、の位置ずれを画像処理により検出し、前記位置ずれの検出結果に基づいて、前記第１走査領域において取得された前記複数のＯＣＴ信号の良否を判定する判定ステップと、
前記判定ステップによって良好であると判定された前記複数のＯＣＴ信号を処理して前記被検体におけるモーションコントラストデータを取得する演算処理ステップと、
を前記光コヒーレンストモグラフィ装置に実行させることを特徴とする光コヒーレンストモグラフィ制御プログラム。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
被検体上を走査された測定光と、参照光とに基づいてＯＣＴデバイスによって検出されたＯＣＴ信号を処理するＯＣＴ信号処理装置であって、
同一部位における時間の異なる複数のＯＣＴ信号を処理して得られた３次元モーションコントラストデータの良否を確認するための確認画面を表示手段に表示させる制御手段を備え、
前記制御手段は、前記被検体の一部の深さ領域において抽出された前記３次元モーションコントラストデータである深さ領域データに基づくモーションコントラスト画像を前記確認画面に表示させることを特徴とするＯＣＴ信号処理装置。
【請求項２】
前記制御手段は、深さの異なる複数の深さ領域においてそれぞれ抽出された深さ領域データ毎に生成された複数のモーションコントラスト画像を前記確認画面に切り替え可能に表示させることを特徴とする請求項１のＯＣＴ信号処理装置。
【請求項３】
前記制御手段は、前記３次元モーションコントラストデータを評価するための指標を前記確認画面に表示させることを特徴とする請求項１または２のＯＣＴ信号処理装置。
【請求項４】
被検体上を走査された測定光と、参照光とに基づいてＯＣＴデバイスによって検出されたＯＣＴ信号を処理するＯＣＴ信号処理装置において用いられるＯＣＴ信号処理プログラムであって、
前記ＯＣＴ信号処理装置のプロセッサによって実行されることで、
同一部位における時間の異なる複数のＯＣＴ信号を処理して得られた３次元モーションコントラストデータのうち、前記被検体の一部の深さ領域において抽出されたモーションコントラストデータである深さ領域データに基づくモーションコントラスト画像を、前記３次元モーションコントラストデータの良否を確認するための確認画面を表示手段に表示させる表示ステップを前記ＯＣＴ信号処理装置に実行させることを特徴とするＯＣＴ信号処理プログラム。
【請求項５】
走査手段によって被検体上を走査された測定光と、参照光とに基づいてＯＣＴ信号を取得するＯＣＴ光学系と、を備えるＯＣＴ装置であって、
前記ＯＣＴ光学系よって取得された同一部位における時間の異なる複数のＯＣＴ信号を処理して得られた３次元モーションコントラストデータの良否を確認するための確認画面を表示手段に表示させる制御手段を備え、
前記制御手段は、前記ＯＣＴ光学系による被検体の撮影を開始するためのレリーズ信号を受け付けると、前記走査手段を制御することによって前記複数のＯＣＴ信号を取得し、前記被検体の一部の深さ領域において抽出された前記３次元モーションコントラストデータである深さ領域データに基づくモーションコントラスト画像を前記確認画面に表示させることを特徴とするＯＣＴ装置。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
容器詰トマト含有飲料の製造方法であって、それを構成するのは、少なくとも、以下の工程である：
ｐＨ低減：ここでｐＨ低減されるのは、トマト汁であり、かつ、
殺菌：ここで殺菌されるのは、前記ｐＨ低減されたトマト汁又はこれを含んだ混合汁であり、それらのｐＨは、４．５０未満である。
【請求項２】
請求項１の製造方法であって、ｐＨ低減時に、
トマト汁に供給されるのは、水素イオンであり、かつ、
トマト汁から除去されるのは、少なくとも、カリウムイオンである。
【請求項３】
請求項２の製造方法であって、ｐＨ低減時に、
供給される水素イオンと交換されるのは、少なくとも、除去されるカリウムイオンである。
【請求項４】
請求項３の製造方法であって、ｐＨ低減時に、
トマト汁から更に除去されるのは、ナトリウムイオンであり、
それによって、供給される水素イオンと更に交換されるのは、除去されるナトリウムイオンである。
【請求項５】
請求項２乃至４の何れかの製造方法であって、ｐＨ低減時に、
トマト汁から隔てられているのは、水素イオンの供給元である。
【請求項６】
請求項１乃至４の何れかの製造方法であって、ｐＨ低減時に、
トマト汁が接触するのは、陽イオン交換樹脂である。
【請求項７】
請求項１乃至６の何れかの製造方法であって、
ｐＨ低減されるトマト汁の性状は、漿液である。
【請求項８】
容器詰トマト含有飲料であって、
そのｐＨは、４．５０未満であり、かつ、
ナトリウムイオンの含有量に対するカリウムイオンの含有量の比（Ｋ＋／Ｎａ＋）は、４４．１未満である。
【請求項９】
請求項８の容器詰トマト含有飲料であって、
そのカリウムイオンの含有量は、２１６ｍｇ／１００ｇ未満である。
【請求項１０】
請求項８の容器詰トマト含有飲料であって、
少なくとも含有するのは、ｐＨ低減されたトマト汁である。
【請求項１１】
請求項８乃至１０の何れかの容器詰トマト含有飲料であって、
少なくとも含有するのは、トマト汁であって、そのカリウムイオンが除かれたものである。
【請求項１２】
トマト汁のカリウムイオン低減方法であって、それを構成するのは、少なくとも、以下の工程である：
供給：供給されるのは、水素イオンであり、その供給先は、トマト汁であり、かつ、
除去：除去されるのは、カリウムイオンであり、このカリウムイオンが含まれているのは、前記トマト汁である。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
対価の支払いがなされたことに応じて、１回のゲームプレイに係るゲームの処理を実行する実行手段と、
前記実行手段による前記１回のゲームプレイにおいて、１人のプレイヤに対して、該プレイヤに対応するキャラクタと、前記ゲーム中に登場する相手キャラクタとの対戦ゲームを提供するにあたり、
第１の種別のキャラクタを前記相手キャラクタとする第１のモードと、
第２の種別のキャラクタを前記相手キャラクタとする、前記第１のモードとは異なる第２のモードと、
のいずれかを設定する設定手段と、
前記１回のゲームプレイにつき、前記設定手段により設定されたモードに応じて印刷媒体への印刷対象として選択可能なキャラクタを決定する制御手段と、を有し、
前記ゲームにおいて、前記第１の種別のキャラクタと第２の種別のキャラクタとは異なるものとして設定されているゲーム装置。
【請求項２】
前記第１の種別のキャラクタと前記第２の種別のキャラクタとは、前記ゲームにおいて異なる攻略難易度が設定され、
前記第２の種別のキャラクタは、前記第１の種別のキャラクタよりも高い攻略難易度が設定される請求項１に記載のゲーム装置。
【請求項３】
前記第２のモードの対戦ゲームにおいて登場する前記第２の種別のキャラクタの数は、前記第１のモードの対戦ゲームにおいて登場する前記第１の種別のキャラクタの数より少ない請求項１または２に記載のゲーム装置。
【請求項４】
前記１回のゲームプレイにおいて設定可能なモードには、複数のプレイヤに対して、前記第２の種別のキャラクタを前記相手キャラクタとして、該複数のプレイヤに対応するキャラクタとの間で対戦ゲームを提供する第３のモードがさらに含まれる請求項１乃至３のいずれか１項に記載のゲーム装置。
【請求項５】
前記第２の種別のキャラクタは、前記第３のモードが設定された場合には、前記印刷対象として選択可能なキャラクタに含まれない請求項４に記載のゲーム装置。
【請求項６】
前記制御手段は、前記設定手段により設定されたモードが、前記第１のモードと前記第２のモードのいずれかによって、前記印刷対象として選択可能とするキャラクタの決定条件を異ならせる請求項１乃至５のいずれか１項に記載のゲーム装置。
【請求項７】
前記実行手段は、前記第１のモードが設定されている場合の前記１回のゲームプレイにおいて、前記プレイヤに対応するキャラクタと前記相手キャラクタとの間に友好関係が築かれるかの判定を含むイベント処理を実行し、
前記制御手段は、前記イベント処理において友好関係が築かれた前記第１の種別のキャラクタを、前記印刷対象として選択可能なキャラクタとして決定する
請求項６に記載のゲーム装置。
【請求項８】
前記制御手段は、前記第２のモードの対戦ゲームにおいて勝利条件が満たされた場合に、前記相手キャラクタとして登場した前記第２の種別のキャラクタを、前記印刷対象として選択可能なキャラクタとして決定する請求項６または７に記載のゲーム装置。
【請求項９】
前記制御手段は、前記第２のモードの対戦ゲームにおいては勝利条件が満たされない場合に、前記相手キャラクタとして登場した前記第２の種別のキャラクタを、前記印刷対象として選択可能なキャラクタに含めない請求項６乃至８のいずれか１項に記載のゲーム装置。
【請求項１０】
前記相手キャラクタを決定する決定手段をさらに有し、
前記決定手段は、プレイヤによりなされた操作入力に応じて前記相手キャラクタを決定する請求項１乃至９のいずれか１項に記載のゲーム装置。
【請求項１１】
コンピュータを、請求項１乃至１０のいずれか１項に記載のゲーム装置の各手段として機能させるためのプログラム。
【請求項１２】
キャラクタが対応付けられた印刷媒体と、該印刷媒体から取得された情報に基づいてゲームプレイを提供するゲーム装置とで構成されるゲームシステムであって、
前記ゲーム装置は、
対価の支払いがなされたことに応じて、前記印刷媒体から情報取得し、該情報に基づいて１回のゲームプレイに係るゲームの処理を実行する実行手段と、
前記実行手段による前記１回のゲームプレイにおいて、１人のプレイヤに対して、該プレイヤに対応するキャラクタと、前記ゲーム中に登場する相手キャラクタとの対戦ゲームを提供するにあたり、
第１の種別のキャラクタを前記相手キャラクタとする第１のモードと、
第２の種別のキャラクタを前記相手キャラクタとする、前記第１のモードとは異なる第２のモードと、
のいずれかを設定する設定手段と、
前記１回のゲームプレイにつき、前記設定手段により設定されたモードに応じて印刷媒体への印刷対象として選択可能なキャラクタを決定する制御手段と、
を有し、
前記ゲームにおいて、前記第１の種別のキャラクタと第２の種別のキャラクタとは異なるものとして設定されているゲームシステム。
【手続補正２】
【補正対象書類名】明細書
【補正対象項目名】発明の名称
【補正方法】変更
【補正の内容】
【発明の名称】ゲーム装置、プログラム及びゲームシステム
【手続補正３】
【補正対象書類名】明細書
【補正対象項目名】０００１
【補正方法】変更
【補正の内容】
【０００１】
本発明は、ゲーム装置、プログラム及びゲームシステムに関し、特にゲームのキャラクタに係る物品を出力可能なゲーム装置に関する。
【手続補正４】
【補正対象書類名】明細書
【補正対象項目名】０００８
【補正方法】変更
【補正の内容】
【０００８】
本発明は、上述の問題点に鑑みてなされたものであり、プレイヤの要求を満たしつつ、好適なゲームバランスを実現するゲーム装置、プログラム及びゲームシステムを提供すること目的とする。
【手続補正５】
【補正対象書類名】明細書
【補正対象項目名】０００９
【補正方法】変更
【補正の内容】
【０００９】
前述の目的を達成するために、本発明のゲーム装置は、対価の支払いがなされたことに応じて、１回のゲームプレイに係るゲームの処理を実行する実行手段と、実行手段による１回のゲームプレイにおいて、１人のプレイヤに対して、該プレイヤに対応するキャラクタと、ゲーム中に登場する相手キャラクタとの対戦ゲームを提供するにあたり、第１の種別のキャラクタを相手キャラクタとする第１のモードと、第２の種別のキャラクタを相手キャラクタとする、第１のモードとは異なる第２のモードと、のいずれかを設定する設定手段と、１回のゲームプレイにつき、設定手段により設定されたモードに応じて印刷媒体への印刷対象として選択可能なキャラクタを決定する制御手段と、を有し、ゲームにおいて、第１の種別のキャラクタと第２の種別のキャラクタとは異なるものとして設定されている。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
遊技機枠と、
遊技盤と、
演出に用いられる第１演出手段および第２演出手段と、
前記第１演出手段を制御可能な第１制御部と、
前記第２演出手段を制御可能な第２制御部と、を備え、
前記第１演出手段および前記第１制御部は、前記遊技機枠に設けられており、
前記第２演出手段および前記第２制御部は、前記遊技盤に設けられており、
前記第１制御部には、前記第２演出手段の制御のためのプログラムが格納されており、
前記第２制御部は、前記プログラムを処理可能な処理手段と、前記プログラムを格納可能な記憶手段とを有している遊技機であって、
所定の転送条件が成立したか否かを判定する転送条件判定手段と、
前記転送条件判定手段による判定結果に基づいて、前記第１制御部に格納された前記プログラムを前記記憶手段に転送可能な転送手段と、
前記プログラムが転送される前に、前記処理手段による処理を停止させる処理停止手段と、
前記プログラムが転送された後に、前記処理手段による処理を開始させる処理開始手段と、を備えていることを特徴とする遊技機。
【手続補正２】
【補正対象書類名】明細書
【補正対象項目名】０００８
【補正方法】変更
【補正の内容】
【０００８】
本発明の遊技機は、
遊技機枠と、
遊技盤と、
演出に用いられる第１演出手段および第２演出手段と、
前記第１演出手段を制御可能な第１制御部と、
前記第２演出手段を制御可能な第２制御部と、を備え、
前記第１演出手段および前記第１制御部は、前記遊技機枠に設けられており、
前記第２演出手段および前記第２制御部は、前記遊技盤に設けられており、
前記第１制御部には、前記第２演出手段の制御のためのプログラムが格納されており、
前記第２制御部は、前記プログラムを処理可能な処理手段と、前記プログラムを格納可能な記憶手段とを有している遊技機であって、
所定の転送条件が成立したか否かを判定する転送条件判定手段と、
前記転送条件判定手段による判定結果に基づいて、前記第１制御部に格納された前記プログラムを前記記憶手段に転送可能な転送手段と、
前記プログラムが転送される前に、前記処理手段による処理を停止させる処理停止手段と、
前記プログラムが転送された後に、前記処理手段による処理を開始させる処理開始手段と、を備えていることを特徴とする。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
フォーカス位置を変えながら、生体を撮影することにより得られる複数の撮影画像を合成し、合成画像を生成する合成部であって、直前に得られた合成画像の画素、及び、最新の撮影画像の画素のうちの、フォーカスが合っている画素を選択することにより、前記直前に得られた合成画像と、前記最新の撮影画像とを合成し、最新の合成画像を生成する合成部を備える
医療用画像処理装置。
【請求項２】
合成を制限すべき合成制限条件が満たされる場合、前記合成部は、１の撮影画像を、前記合成画像として出力する
請求項１に記載の医療用画像処理装置。
【請求項３】
前記合成制限条件は、前記撮影画像に、前記生体とともに映る処置具が動いていることである
請求項２に記載の医療用画像処理装置。
【請求項４】
前記合成画像と前記撮影画像との位置合わせを行う位置合わせ部をさらに備え、
前記合成部は、位置合わせ後の前記合成画像と前記撮影画像とを合成する
請求項２又は３に記載の医療用画像処理装置。
【請求項５】
前記位置合わせ部は、前記合成画像及び前記撮影画像について、画角を調整し、画角の調整後の前記合成画像と前記撮影画像との位置合わせを行う
請求項４に記載の医療用画像処理装置。
【請求項６】
前記合成制限条件は、前記合成画像及び前記撮影画像の画角の調整の信頼性が閾値以下であることである
請求項５に記載の医療用画像処理装置。
【請求項７】
前記位置合わせ部は、前記合成画像及び前記撮影画像について、動きを検出し、動きの検出結果に基づいて、前記位置合わせを行う
請求項４ないし６のいずれかに記載の医療用画像処理装置。
【請求項８】
前記合成制限条件は、前記動きの検出の信頼性が閾値以下であることである
請求項７に記載の医療用画像処理装置。
【請求項９】
前記撮影画像を撮影する撮影部が、ユーザの操作に応じた範囲内で、前記フォーカス位置を変えながら、前記撮影画像を撮影する
請求項１ないし８のいずれかに記載の医療用画像処理装置。
【請求項１０】
前記合成部は、AF(Auto Focus)に用いられる評価値のピークが得られるフォーカス位置であるピーク位置を含む所定の範囲のフォーカス位置で撮影された複数の撮影画像を合成する
請求項１ないし８のいずれかに記載の医療用画像処理装置。
【請求項１１】
前記撮影画像を撮影する撮影部が、3D(Dimensional)の撮影画像を撮影する
請求項１ないし１０のいずれかに記載の医療用画像処理装置。
【請求項１２】
フォーカス位置を変えながら、生体を撮影することにより得られる複数の撮影画像を合成し、合成画像を生成する合成処理であって、直前に得られた合成画像の画素、及び、最新の撮影画像の画素のうちの、フォーカスが合っている画素を選択することにより、前記直前に得られた合成画像と、前記最新の撮影画像とを合成し、最新の合成画像を生成する合成処理を行う
医療用画像処理方法。
【請求項１３】
フォーカス位置を変えながら、生体を撮影する撮影部と、
前記撮影部により撮影された複数の撮影画像を合成し、合成画像を生成する合成部であって、直前に得られた合成画像の画素、及び、最新の撮影画像の画素のうちの、フォーカスが合っている画素を選択することにより、前記直前に得られた合成画像と、前記最新の撮影画像とを合成し、最新の合成画像を生成する合成部と
を備える医療用観察システム。
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
周囲に複数の図柄が付された複数の回胴と、
複数の回胴の回転を開始させるためのスタートスイッチと、
複数の回胴の回転を停止させるためのストップスイッチと、
予め貯留した遊技媒体を内部投入することが可能なベットスイッチと、
遊技を制御する制御装置と、
を具備し、
遊技媒体の直接投入又は内部投入により遊技を開始可能とし、スタートスイッチの操作を条件として複数の回胴の回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機において、
前記遊技には、通常遊技と、該通常遊技より有利な特別遊技があり、
遊技機本体の前面側には、複数の操作ボタンが設けられており、
前記複数の操作ボタンは、左操作ボタン及び右操作ボタンを含み、
前記制御装置は、前記特別遊技の当選判定結果の報知を行う場合、前記左操作ボタン及び前記右操作ボタンが同時に所定時間だけ長押しされて、報知条件を満たすと、前記特別遊技の当否を報知すること、
を特徴とする遊技機。
【手続補正２】
【補正対象書類名】明細書
【補正対象項目名】００１９
【補正方法】変更
【補正の内容】
【００１９】
請求項１に係る本発明の遊技機は、上記の目的を達成する為に、周囲に複数の図柄が付された複数の回胴と、複数の回胴の回転を開始させるためのスタートスイッチと、複数の回胴の回転を停止させるためのストップスイッチと、予め貯留した遊技媒体を内部投入することが可能なベットスイッチと、遊技を制御する制御装置と、を具備し、遊技媒体の直接投入又は内部投入により遊技を開始可能とし、スタートスイッチの操作を条件として複数の回胴の回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機において、前記遊技には、通常遊技と、該通常遊技より有利な特別遊技があり、遊技機本体の前面側には、複数の操作ボタンが設けられており、前記複数の操作ボタンは、左操作ボタン及び右操作ボタンを含み、前記制御装置は、前記特別遊技の当選判定結果の報知を行う場合、前記左操作ボタン及び前記右操作ボタンが同時に所定時間だけ長押しされて、報知条件を満たすと、前記特別遊技の当否を報知することを特徴とする。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
指が挿入される指挿入部と、描画ヘッド部と対向する位置に爪が露出するような開口部と、が設けられた指保持ケースと、
前記指保持ケース内に配置され、環状部を有する指保持部と、を備え、
前記環状部に流体が供給されることで前記指の外周を押圧して前記指の動きを抑制することを特徴とする描画装置。
【請求項２】
前記環状部は、前記環状部の内部に流体が供給されると、前記指と前記保持ケースとの間で前記環状部の内部が所定の圧力に達するまで膨らみ、前記指の外周を押圧して前記指の動きを抑制することを特徴とする請求項１に記載の描画装置。
【請求項３】
前記環状部は、挿入された前記指の径に関わりなく、前記流体が供給されたときに挿入された前記爪と前記描画ヘッド部との距離が略所定の距離となるように膨らむことを特徴とする請求項１に記載の描画装置。
【請求項４】
前記環状部の環中心より上側左右対称位置に、前記環状部の対向する外周面側の壁と内周面側の壁とが部分的に潰された複数の潰し部と、前記複数の潰し部の間に設けられた連通部と、が設けられ、
前記環状部に前記流体が供給されたとき、挿入された前記爪と前記描画ヘッド部との距離が略所定の距離となるように膨らむことを特徴とする請求項３に記載の描画装置。
【請求項５】
前記環状部は、前記流体が供給されたとき下側よりも上側の方が小さく膨らむようになっていることを特徴とする請求項１に記載の描画装置。
【請求項６】
前記指保持部は、前記流体の供給が無い状態でも前記環状部を環形状に維持するために前記環状部を支持する支持部を備えることを特徴とする請求項１から請求項５のいずれか１項に記載の描画装置。
【請求項７】
前記環状部の外周面の少なくとも一部が前記指保持ケースの内面に取り付けられていることを特徴とする請求項１から請求項６のいずれか１項に記載の描画装置。
【請求項８】
前記環状部から前記流体を排出することで前記押圧の解除ができることを特徴とする請求項１から請求項７のいずれか１項に記載の描画装置。
【請求項９】
前記指保持部は、前記環状部の外周から突出し、前記環状部への前記流体の供給及び排出が行われる流体給排部を備えることを特徴とする請求項８に記載の描画装置。
【手続補正２】
【補正対象書類名】明細書
【補正対象項目名】０００９
【補正方法】変更
【補正の内容】
【０００９】
本発明は、以下の構成によって把握される。
本発明の描画装置は、指が挿入される指挿入部と、描画ヘッド部と対向する位置に爪が露出するような開口部と、が設けられた指保持ケースと、前記指保持ケース内に配置され、環状部を有する指保持部と、を備え、前記環状部に流体が供給されることで前記指の外周を押圧して前記指の動きを抑制することを特徴とする。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を決定する事前決定手段と、
表示結果を導出させるために操作される導出操作手段と、
前記事前決定手段の決定結果、および前記導出操作手段の操作に応じて表示結果を導出させる制御を行う導出制御手段と、
前記事前決定手段の決定結果が特定決定結果であるときに、特定決定結果に対応する操作手順を特定可能な情報を報知可能な報知手段と、
前記可変表示部に対して光を照射する照射手段と、
前記照射手段による前記可変表示部に対する光の照射態様を変化させる所定演出を実行可能な所定演出実行手段とを備え、
前記導出制御手段は、前記事前決定手段の決定結果が特定決定結果である場合、特定決定結果に対応する操作手順で前記導出操作手段が操作されたときに第１入賞を発生させる表示結果を導出し、特定決定結果に対応する操作手順とは異なる操作手順で前記導出操作手段が操作されたときに第２入賞が発生する表示結果を導出し、
前記所定演出実行手段は、
前記報知手段が特定決定結果に対応する操作手順を特定可能な情報を報知し、かつ第１入賞を発生させる表示結果が導出されたときに所定演出を実行し、
前記報知手段が特定決定結果に対応する操作手順を特定可能な情報を報知し、かつ第２入賞を発生させる表示結果が導出されたときに所定演出を実行せず、
前記報知手段が特定決定結果に対応する操作手順を特定可能な情報を報知せず、かつ第２入賞を発生させる表示結果が導出されたときに所定演出を実行する、スロットマシン。
【手続補正２】
【補正対象書類名】明細書
【補正対象項目名】０００４
【補正方法】変更
【補正の内容】
【０００４】
この種のスロットマシンとして、小役が入賞したときに、該小役が入賞した旨を報知する所定演出を実行するスロットマシンが知られている（例えば、特許文献１参照）。
【手続補正３】
【補正対象書類名】明細書
【補正対象項目名】０００５
【補正方法】変更
【補正の内容】
【０００５】
【特許文献１】特許第５６７９１４１号公報
【手続補正４】
【補正対象書類名】明細書
【補正対象項目名】０００６
【補正方法】変更
【補正の内容】
【０００６】
しかしながら、特許文献１記載のスロットマシンでは、導出操作手段の操作手順を特定可能な情報の報知と、所定演出との関係が鑑みられておらず、改良の余地があった。
【手続補正５】
【補正対象書類名】明細書
【補正対象項目名】０００７
【補正方法】変更
【補正の内容】
【０００７】
本発明は、かかる実情に鑑み考え出されたものであり、その目的は、報知された情報から特定可能な操作手順で導出操作手段を操作することを遊技者に促すことができるスロットマシンを提供することである。
【手続補正６】
【補正対象書類名】明細書
【補正対象項目名】０００８
【補正方法】変更
【補正の内容】
【０００８】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を決定する事前決定手段と、
表示結果を導出させるために操作される導出操作手段と、
前記事前決定手段の決定結果、および前記導出操作手段の操作に応じて表示結果を導出させる制御を行う導出制御手段と、
前記事前決定手段の決定結果が特定決定結果であるときに、特定決定結果に対応する操作手順を特定可能な情報を報知可能な報知手段と、
前記可変表示部に対して光を照射する照射手段と、
前記照射手段による前記可変表示部に対する光の照射態様を変化させる所定演出を実行可能な所定演出実行手段とを備え、
前記導出制御手段は、前記事前決定手段の決定結果が特定決定結果である場合、特定決定結果に対応する操作手順で前記導出操作手段が操作されたときに第１入賞を発生させる表示結果を導出し、特定決定結果に対応する操作手順とは異なる操作手順で前記導出操作手段が操作されたときに第２入賞が発生する表示結果を導出し、
前記所定演出実行手段は、
前記報知手段が特定決定結果に対応する操作手順を特定可能な情報を報知し、かつ第１入賞を発生させる表示結果が導出されたときに所定演出を実行し、
前記報知手段が特定決定結果に対応する操作手順を特定可能な情報を報知し、かつ第２入賞を発生させる表示結果が導出されたときに所定演出を実行せず、
前記報知手段が特定決定結果に対応する操作手順を特定可能な情報を報知せず、かつ第２入賞を発生させる表示結果が導出されたときに所定演出を実行する。
なお、以下の構成を備えるものでもよい。
（１）  各々が識別可能な複数種類の識別情報を変動表示可能な可変表示部（たとえば、リール２Ｌ、２Ｃ、２Ｒ）を備え、
前記可変表示部を変動表示した後、前記可変表示部の変動表示を停止することで表示結果を導出し、該表示結果に応じて入賞が発生可能であるスロットマシン（スロットマシン１）において、
入賞の発生を許容するか否かを決定する事前決定手段（メイン制御部４１）と、
遊技者が表示結果を導出させるために操作する導出操作手段（ストップスイッチ８Ｌ、８Ｃ、８Ｒ）とを備え、
所定入賞の発生が許容された（特定役が当選した）状態において、遊技者に対して推奨する推奨操作態様（順押し）により前記導出操作手段が操作されたときよりも、当該推奨操作態様とは異なる非推奨操作態様（変則押し）により前記導出操作手段が操作されたときの方が高い割合で、遊技者にとって有利となる有利制御を実行可能（変則押しされたときには、有利表示結果が導出される一方、順押しされたときに有利表示結果は導出されない）な有利制御手段（メイン制御部４１）と、
前記所定入賞の発生が許容された状態で前記非推奨操作態様により前記導出操作手段が操作されたときに、遊技者にとって不利となる不利制御（図２２のＳ１１２に示すペナルティ抽選）を実行可能な不利制御手段（サブ制御部９１）と、
前記所定入賞の発生が許容された状態で前記非推奨操作態様により前記導出操作手段が操作されたときに、警告演出（図２２のＳ１０３の警告演出）を実行可能な警告演出実行手段（メイン制御部４１）と、
遊技者待ちの待機状態（図２３のＳ３１２、図２４（Ｂ）、（Ｆ）に示すデモ画面の表示）に制御可能な待機状態制御手段（サブ制御部９１）とをさらに備え、
前記警告演出実行手段は、前記待機状態となる前に前記警告演出を終了する（図２４（Ｅ）（Ｆ）に示すように、警告演出が実行されているときには、第３停止時から３０秒経過したときに、該警告演出を終了させるとともに、デモ画面を表示させる）。
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
主筐体（１１）と、
回転ミラーセットモジュール（１６）により前記主筐体（１１）に取り付けられた手持ち器具（１７）モジュールと、
前記主筐体（１１）に配置されていて、前記回転ミラーセットモジュール（１６）を貫通して前記手持ち器具モジュール（１７）に誘導されるレーザーパルスのレーザービーム出力部を有するフェムト秒レーザー光源（１５）と、
前記受光されたレーザービームでレーザーパルスの所定パターン内を走査すべく前記手持ち器具モジュール（１７）に配置されたレーザースキャナ（１９）と、
前記手持ち器具に配置されたＸＹＺ並進モーター（２４）と、
前記ＸＹＺ並進モーター（２４）に搭載されていて、前記レーザースキャナ（１９）からレーザーパルスの前記所定パターンを受光し、患者の目（２３）を前記レーザーパルスの所定パターンで走査しながら、セルのマトリクス（３２）の一連の個別セル（３１）の各々で切除を実行すべく配置された集光レンズ（２２）と、
前記手持ち器具に配意されていて、患者の目（２３）に取り付けるべく適合されている着脱可能吸入リング（２６）とを含み、
複数の個別セル（３１）の前記マトリクス（３２）としてマッピングされた切除領域が、患者の目（２３）の前記マッピングされたマトリクス（３２）の全てのセル（３１）が切除されるまで、一度に１個のセルずつ切除し、
前記装置は、セル（３１）を走査するシーケンス（３３）で次のセル（３１）へ移る前に、各々の個別セル（３１）の走査を完了するよう適合され、セル（３１）を走査する前記シーケンス（３３）は変化する場合があり、
前記装置は、セル（３１）を走査する前記シーケンス（３３）で次のセルへ移る前に、セル全体（３１）をカバーすべくレーザービームスポットのランダムに生成された走査（３４）により各セル（３１）を走査するよう更に適合されることを特徴とする眼科装置（１０）。
【請求項２】
請求項１に記載の眼科装置（１０）において、前記フェムト秒レーザービームレーザーパルスの出力を拡大すべく、前記フェムト秒レーザー光源（１５）と前記回転ミラーセットモジュール（１６）の間に取り付けられたレーザービーム拡大器（１８）を含むことを特徴とする眼科装置（１０）。
【請求項３】
請求項２に記載の眼科装置（１０）において、前記手持ち器具（１７）内の前記着脱可能吸入リング（２６）が、前記吸入リングを所定位置にロックするスライドロック機構（２８）を含むことを特徴とする眼科装置（１０）。
【請求項４】
請求項２に記載の眼科装置（１０）において、前記レーザースキャナが２次元ＸＹスキャナ（１９）であることを特徴とする眼科装置（１０）。
【請求項５】
請求項１に記載の眼科装置（１０）において、前記回転ミラーセットモジュール（１６）が内部に複数のミラー（２０，２１，２２）を有していることを特徴とする眼科装置（１０）。
【請求項６】
請求項２に記載の眼科装置（１０）において、前記フェムト秒レーザー光源（１５）と前記回転ミラーセットモジュール（１６）の間に載置された手動起動シャッター（２５）を含むことを特徴とする眼科装置（１０）。
【手続補正書】
【提出日】平成30年9月3日(2018.9.3)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ｒ（ｒは２以上の整数）個の回路と、
ｒ個の出力端子を有するデマルチプレクサと、を有し、
前記デマルチプレクサはパストランジスタロジック回路であり、
前記デマルチプレクサの前記ｒ個の出力端子は互いに異なる前記回路と電気的に接続されていることを特徴とする半導体装置。
【請求項２】
ｒ（ｒは２以上の整数）個の第１入力端子と、
１個の第２入力端子と、
ｒ個の回路と、
ｒ個の出力端子を有するデマルチプレクサと、
スイッチ回路と、を有し、
前記デマルチプレクサはパストランジスタロジック回路であり、
前記デマルチプレクサの前記ｒ個の出力端子は、互いに異なる前記回路の入力端子と電気的に接続され、
前記デマルチプレクサの入力端子は前記第２入力端子と電気的に接続され、
前記ｒ個の回路の入力端子は、互いに異なる前記第１入力端子と電気的に接続され、かつ前記スイッチ回路によって、対応する前記第１入力端子との導通状態が制御されることを特徴とする半導体装置。
【手続補正書】
【提出日】平成30年8月20日(2018.8.20)
【手続補正１】
【補正対象書類名】明細書
【補正対象項目名】００５２
【補正方法】変更
【補正の内容】
【００５２】
上述の、例としてのみに示された、特許請求の範囲の請求項のみによって特定される本発明の範囲を限定する意図のない実施例を参照すれば、当業者には、多数の更なる変更および変形が自ずと示唆されるであろう。特に、相異なる実施形態から得られる相異なる特徴を、もし適切であれば、交換してもよい。  
上記の実施形態に加えて、以下の付記を開示する。
（付記１）
回路基板上に装着可能なアンテナ・アセンブリであって、
放射部と、
該放射部に供給する伝送部であって、該伝送部が前記回路基板に接続可能な信号供給素子と接地素子とを有する、該伝送部と、
を備え、
前記接地素子は、前記信号供給素子と並んで長手方向に延伸する第１の接地部分と該第１の接地部分から横方向に延伸する拡張接地部分とを含み、該拡張接地部分は、折曲され前記信号供給素子および前記第１の接地部分の向こう側に延伸して前記信号供給素子から離間された接地面を形成し、該拡張接地部分が前記回路基板の接地接続部に接続可能である、前記アンテナ・アセンブリ。
（付記２）
前記第１の接地部分および前記拡張接地部分は単一の接地部を形成してなる、付記１に記載のアンテナ・アセンブリ。
（付記３）
前記信号供給素子および前記第１の接地部分は互いに平行に延伸してなる、付記１または２に記載のアンテナ・アセンブリ。
（付記４）
前記信号供給素子はマイクロストリップ・モードで動作する、付記１〜３のうちのいずれか一つに記載のアンテナ・アセンブリ。
（付記５）
前記信号供給素子を前記回路基板に接続するための伝送線接続部を備え、前記拡張接地部分において、該伝送線接続部に面する前記拡張接地部分の箇所に開口部が形成されてなる、付記１〜４のうちのいずれか一つに記載のアンテナ・アセンブリ。
（付記６）
前記放射部が逆Ｆアンテナを有する、付記１〜５のうちのいずれか一つに記載のアンテナ・アセンブリ。
（付記７）
前記放射部が、前記伝送部の前記第１の接地部分から延伸する接地素子と、前記伝送部の前記信号供給素子から延伸する信号素子と、該接地素子および該信号素子に対して垂直に延伸する放射素子と、を有する、付記６に記載のアンテナ・アセンブリ。
（付記８）
前記放射素子がその長手方向の軸に沿って折曲されてなる、付記７に記載のアンテナ・アセンブリ。
（付記９）
前記放射部がモノポール型アンテナを有する、付記１〜５のうちのいずれか一つに記載のアンテナ・アセンブリ。
（付記１０）
前記拡張接地部分は、前記放射部の接地素子および信号素子に平行に延伸するように、別の軸に沿って折曲されてなる、付記１〜９のうちのいずれか一つに記載のアンテナ・アセンブリ。
（付記１１）
前記拡張接地部分は、前記伝送部の信号供給素子および第１の接地部分に対して前記放射部と反対側に位置する、付記１〜１０のうちのいずれか一つに記載のアンテナ・アセンブリ。
（付記１２）
前記拡張接地部分は、前記伝送部の信号供給素子および第１の接地部分に対して前記放射部と同じ側に位置する、付記１〜１１のうちのいずれか一つに記載のアンテナ・アセンブリ。
（付記１３）
電子通信装置であって、
回路基板と、該回路基板上に装着された付記１〜１２のうちのいずれか一つに記載のアンテナ・アセンブリと、を備え、
前記アンテナ・アセンブリが、前記伝送部の前記信号供給素子と前記接地素子の前記第１の接地部分とが前記回路基板の表面から遠ざかって延伸するように装着される、前記電子通信装置。
（付記１４）
前記回路基板の前面側には少なくとも１つの電子部品が設けられており、前記放射部は、前記伝送部から前記電子部品を越えて前記電子部品の前方に延伸し当該電子通信装置から外側に向くように配置され、前記伝送部が前記電子部品の後方に配置される、付記１３に記載の電子通信装置。
（付記１５）
前記少なくとも１つの電子部品は、表示板、ＬＥＤ、赤外線センサ、制御装置、およびＵＳＢコネクタのうちの少なくとも１つを含む、付記１４に記載の電子通信装置。
（付記１６）
前記回路基板は、電子部品のないクリアランス領域を含み、該クリアランス領域が前記アンテナ・アセンブリの後方に配置される、付記１３〜１５のうちのいずれか一つに記載の電子通信装置。
（付記１７）
当該電子通信装置はゲートウェイ装置またはセットトップ・ボックスである、付記１３〜１６のうちのいずれか一つに記載の電子通信装置。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
遊技領域が形成された遊技盤を保持可能な本体枠と、
前記本体枠に対し開閉自在に設けられる前面枠と、
前記前面枠に設けられる枠側構成部材と、
前記前面枠に設けられ、前記枠側構成部材に対応して設けられる枠側部材駆動源と、
前記枠側部材駆動源を駆動させる演出実行手段と、
前記遊技領域に設けられた始動口へ遊技球の入賞を契機に乱数情報を取得する乱数情報取得手段と、
前記乱数情報取得手段で取得された乱数情報を記憶する乱数記憶手段と、
前記乱数記憶手段に記憶された乱数情報に基づいて変動表示を実行可能な変動表示実行手段と、
前記変動表示実行手段により実行される変動表示の表示結果として特別の表示結果が表示された場合に、通常の遊技状態よりも遊技者に有利な特別遊技状態に制御可能な遊技状態制御手段と、
前記乱数記憶手段に記憶される乱数情報を用いて前記変動表示実行手段によって特定の変動表示が実行されるかを事前に判定可能な先行判定手段と、を備え、
前記演出実行手段は、
前記先行判定手段により前記特定の変動表示が実行されると判定された場合に、前記特定の変動表示よりも以前に実行される変動表示において前記枠側構成部材に対応する前記枠側部材駆動源を第１期間に亘って駆動させる先行駆動演出と、
前記特定の変動表示の実行中において、前記枠側部材駆動源を第１期間に亘って駆動させる前記先行駆動演出と同様の駆動演出を実行した後、所定期間経過後に前記先行駆動演出と異なる駆動演出として該枠側部材駆動源を駆動させ該第１期間よりも長い第２期間に亘って駆動演出を行う特定駆動演出と、を実行可能であり、
前記変動表示実行手段により実行される前記特定の変動表示において前記特別の表示結果が表示される場合には、前記特別の表示結果が表示されない場合に比べて前記特定の変動表示よりも以前に実行される変動表示において前記先行駆動演出が実行される割合が高くされており、
前記第２期間に亘って駆動演出が行われる前記特定駆動演出の実行後は、前記先行駆動演出および前記特定駆動演出と異なる駆動演出として前記枠側部材駆動源を駆動し、前記第２期間よりも長い第３期間に亘って駆動演出を行う特別駆動演出を実行可能にされている
ことを特徴とする遊技機。
【手続補正２】
【補正対象書類名】明細書
【補正対象項目名】０００５
【補正方法】変更
【補正の内容】
【０００５】
しかし、従来のパチンコ機における先読み演出は、目立ち難く、せっかく先読み演出がなされていても、そのこと気付くことなく遊技を行っている遊技者も少なくない。
そこで、本発明の課題は、先読み演出を遊技者に明確に認識させ遊技の興趣を高め得る遊技機を提供することにある。
【手続補正３】
【補正対象書類名】明細書
【補正対象項目名】０００６
【補正方法】変更
【補正の内容】
【０００６】
上記課題を解決するために、本発明の遊技機は、
遊技領域が形成された遊技盤を保持可能な本体枠と、
前記本体枠に対し開閉自在に設けられる前面枠と、
前記前面枠に設けられる枠側構成部材と、
前記前面枠に設けられ、前記枠側構成部材に対応して設けられる枠側部材駆動源と、
前記枠側部材駆動源を駆動させる演出実行手段と、
前記遊技領域に設けられた始動口へ遊技球の入賞を契機に乱数情報を取得する乱数情報取得手段と、
前記乱数情報取得手段で取得された乱数情報を記憶する乱数記憶手段と、
前記乱数記憶手段に記憶された乱数情報に基づいて変動表示を実行可能な変動表示実行手段と、
前記変動表示実行手段により実行される変動表示の表示結果として特別の表示結果が表示された場合に、通常の遊技状態よりも遊技者に有利な特別遊技状態に制御可能な遊技状態制御手段と、
前記乱数記憶手段に記憶される乱数情報を用いて前記変動表示実行手段によって特定の変動表示が実行されるかを事前に判定可能な先行判定手段と、を備え、
前記演出実行手段は、
前記先行判定手段により前記特定の変動表示が実行されると判定された場合に、前記特定の変動表示よりも以前に実行される変動表示において前記枠側構成部材に対応する前記枠側部材駆動源を第１期間に亘って駆動させる先行駆動演出と、
前記特定の変動表示の実行中において、前記枠側部材駆動源を第１期間に亘って駆動させる前記先行駆動演出と同様の駆動演出を実行した後、所定期間経過後に前記先行駆動演出と異なる駆動演出として該枠側部材駆動源を駆動させ該第１期間よりも長い第２期間に亘って駆動演出を行う特定駆動演出と、を実行可能であり、
前記変動表示実行手段により実行される前記特定の変動表示において前記特別の表示結果が表示される場合には、前記特別の表示結果が表示されない場合に比べて前記特定の変動表示よりも以前に実行される変動表示において前記先行駆動演出が実行される割合が高くされており、
前記第２期間に亘って駆動演出が行われる前記特定駆動演出の実行後は、前記先行駆動演出および前記特定駆動演出と異なる駆動演出として前記枠側部材駆動源を駆動し、前記第２期間よりも長い第３期間に亘って駆動演出を行う特別駆動演出を実行可能にされていることを特徴とする。
【手続補正４】
【補正対象書類名】明細書
【補正対象項目名】０００７
【補正方法】変更
【補正の内容】
【０００７】
本発明によれば、興趣性を高め得る遊技機を提供することができる。
【手続補正書】
【提出日】平成29年12月20日(2017.12.20)
【手続補正１】
【補正対象書類名】特許請求の範囲
【補正対象項目名】請求項２
【補正方法】変更
【補正の内容】
【請求項２】
さらに、前記第２載置器保持部材の裏面側に流路立上壁保持部材を備え、
前記流路立上壁保持部材は、
前記流路立上壁保持部材の壁面に沿って前記養液が流れる流路を形成する流路立上壁を縦方向に複数個配し、
前記複数個の前記流路の各々は、
前記養液が流れ出す開放端を前記第２載置器保持部材に近接して配し、
前記開放端から流れ出す前記養液が前記第２載置器保持部材の裏面に注ぐように、前記開放端からの離間距離が大きい程高い位置に配される、
請求項１に記載の縦型植物栽培機構。